(57)【特許請求の範囲】
【請求項１】
画像データを複数有する画像ファイルを少なくとも１つ記憶する画像ファイル記憶手段と、
前記画像ファイル記憶手段における何れかの画像ファイルを、ユーザ操作に基づいて指定画像ファイルとして指定する画像ファイル指定手段と、
前記指定画像ファイルにおける何れかの画像データの画像を表示画面に表示させる画像表示制御手段と、
前記画像データの画像を表示した状態の前記表示画面内で、当該画像における所望の解析対象点についてのプロット操作をユーザから受けるプロット操作入力手段と、
前記プロット操作に応じて、前記表示画面内での当該プロット操作の対象位置にプロット点を表示させて維持しつつ、前記画像表示制御手段により表示制御される画像データを前記指定画像ファイル内で順に切り替えるプロット表示制御手段と、
前記プロット操作の順に従って、前記表示画面内でのプロット点の遷移方向を検出し、この遷移方向が変化する毎に、変化後の各プロット点を変化前のプロット点とは異なる表示形態で表示させるプロット表示形態制御手段と、
を備えることを特徴とする情報表示装置。
【請求項２】
請求項１記載の情報表示装置において、
ユーザ操作に基づいて、解析対象点の運動の種類として、左右方向の運動、上下方向の運動及び回転運動の何れかを選択する運動種類選択手段を備え、
前記プロット表示形態制御手段は、
前記運動種類選択手段により選択された運動の種類に基づいて、前記遷移方向を検出することを特徴する情報表示装置。
【請求項３】
請求項２記載の情報表示装置において、
前記運動種類選択手段により選択された種類の運動を行う解析対象点が各画像内に含まれる前記画像ファイルを、外部機器から取得して前記指定画像ファイルとして指定する画像ファイル取得手段を備えることを特徴とする情報表示装置。
【請求項４】
請求項１〜３の何れか一項に記載の情報表示装置において、
前記プロット表示形態制御手段は、
前記プロット操作が行われた場合に、このプロット操作の対象位置に新たなプロット点が表示された場合での前記遷移方向の変化回数を検出し、この変化回数に対応する番号を、当該新たなプロット点に含めて表示させる変化番号表示制御手段と、
を有することを特徴とする情報表示装置。
【請求項５】
請求項１〜４の何れか一項に記載の情報表示装置において、
前記プロット表示形態制御手段は、
前記プロット操作が行われた場合に、このプロット操作の対象位置に新たなプロット点が表示された場合での前記遷移方向の変化回数を検出し、この変化回数の大きいプロット点ほど、当該プロット点を濃い色で表示させるプロット点濃度制御手段と、
を有することを特徴とする情報表示装置。
【請求項６】
表示画面を有するコンピュータに、
画像データを複数有する画像ファイルを少なくとも１つ記憶する画像ファイル記憶機能と、
前記画像ファイル記憶機能により記憶された何れかの画像ファイルを、ユーザ操作に基づいて指定画像ファイルとして指定する画像ファイル指定機能と、
前記指定画像ファイルにおける何れかの画像データの画像を表示画面に表示させる画像表示制御機能と、
前記画像データの画像を表示した状態の前記表示画面内で、当該画像における所望の解析対象点についてのプロット操作をユーザから受けるプロット操作入力機能と、
前記プロット操作に応じて、前記表示画面内での当該プロット操作の対象位置にプロット点を表示させて維持しつつ、前記画像表示制御機能により表示制御される画像データを前記指定画像ファイル内で順に切り替えるプロット表示制御機能と、
前記プロット操作の順に従って、前記表示画面内でのプロット点の遷移方向を検出し、この遷移方向が変化する毎に、変化後の各プロット点を変化前のプロット点とは異なる表示形態で表示させるプロット表示形態制御機能と、
を実現させることを特徴とするプログラム。
【発明の詳細な説明】
【技術分野】
【０００１】
本発明は、情報表示装置及びプログラムに関する。
【背景技術】
【０００２】
従来、関数式のグラフ等を表示する情報表示装置においては、実生活中での事象とグラフ内容とを関連付けることで学習効果を高める狙いから、グラフの背景に画像を表示できるようになっている（例えば、特許文献１参照）。より詳細には、この情報表示装置においては、物体の移動の様子を示す一連の画像がグラフと対応付けて記憶されており、グラフ上の一点をユーザが指定すると、その指定位置に物体が移動したときの画像が背景に表示されるようになっている。
【０００３】
ところで、実生活中での事象とグラフ内容とを関連付ける学習方法としては、上記特許文献１記載の手順とは逆に、一連の各画像中の物体位置をそれぞれ順にペンで指定することによって、その各指定位置にプロット点を表示させて散布図を描画させることも考えられる。
【先行技術文献】
【特許文献】
【０００４】
【特許文献１】特開２００３−１３１６５５号公報
【発明の概要】
【発明が解決しようとする課題】
【０００５】
しかしながら、単純に各画像中の物体位置を指定して散布図を描画させる場合には、物体の運動が振り子運動のように同位置を複数回通過する運動であると、プロット点が重なってしまい、何れの方向に向かう運動内でのプロット点であるかが見難くなってしまう。
【０００６】
本発明の課題は、何れの方向に向かう移動内でのプロット点であるかを見易く表示することのできる情報表示装置及びプログラムを提供することである。
【課題を解決するための手段】
【０００７】
以上の課題を解決するため、請求項１に記載の発明は、情報表示装置において、
画像データを複数有する画像ファイルを少なくとも１つ記憶する画像ファイル記憶手段と、
前記画像ファイル記憶手段における何れかの画像ファイルを、ユーザ操作に基づいて指定画像ファイルとして指定する画像ファイル指定手段と、
前記指定画像ファイルにおける何れかの画像データの画像を表示画面に表示させる画像表示制御手段と、
前記画像データの画像を表示した状態の前記表示画面内で、当該画像における所望の解析対象点についてのプロット操作をユーザから受けるプロット操作入力手段と、
前記プロット操作に応じて、前記表示画面内での当該プロット操作の対象位置にプロット点を表示させて維持しつつ、前記画像表示制御手段により表示制御される画像データを前記指定画像ファイル内で順に切り替えるプロット表示制御手段と、
前記プロット操作の順に従って、前記表示画面内でのプロット点の遷移方向を検出し、この遷移方向が変化する毎に、変化後の各プロット点を変化前のプロット点とは異なる表示形態で表示させるプロット表示形態制御手段と、
を備えることを特徴とする。
【０００８】
請求項２記載の発明は、請求項１記載の情報表示装置において、
ユーザ操作に基づいて、解析対象点の運動の種類として、左右方向の運動、上下方向の運動及び回転運動の何れかを選択する運動種類選択手段を備え、
前記プロット表示形態制御手段は、
前記運動種類選択手段により選択された運動の種類に基づいて、前記遷移方向を検出することを特徴する。
【０００９】
請求項３記載の発明は、請求項２記載の情報表示装置において、
前記運動種類選択手段により選択された種類の運動を行う解析対象点が各画像内に含まれる前記画像ファイルを、外部機器から取得して前記指定画像ファイルとして指定する画像ファイル取得手段を備えることを特徴とする。
【００１０】
請求項４記載の発明は、請求項１〜３の何れか一項に記載の情報表示装置において、
前記プロット表示形態制御手段は、
前記プロット操作が行われた場合に、このプロット操作の対象位置に新たなプロット点が表示された場合での前記遷移方向の変化回数を検出し、この変化回数に対応する番号を、当該新たなプロット点に含めて表示させる変化番号表示制御手段と、
を有することを特徴とする。
【００１１】
請求項５記載の発明は、請求項１〜４の何れか一項に記載の情報表示装置において、
前記プロット表示形態制御手段は、
前記プロット操作が行われた場合に、このプロット操作の対象位置に新たなプロット点が表示された場合での前記遷移方向の変化回数を検出し、この変化回数の大きいプロット点ほど、当該プロット点を濃い色で表示させるプロット点濃度制御手段と、
を有することを特徴とする。
【００１２】
請求項６記載の発明は、表示画面を有するコンピュータに、
画像データを複数有する画像ファイルを少なくとも１つ記憶する画像ファイル記憶機能と、
前記画像ファイル記憶機能により記憶された何れかの画像ファイルを、ユーザ操作に基づいて指定画像ファイルとして指定する画像ファイル指定機能と、
前記指定画像ファイルにおける何れかの画像データの画像を表示画面に表示させる画像表示制御機能と、
前記画像データの画像を表示した状態の前記表示画面内で、当該画像における所望の解析対象点についてのプロット操作をユーザから受けるプロット操作入力機能と、
前記プロット操作に応じて、前記表示画面内での当該プロット操作の対象位置にプロット点を表示させて維持しつつ、前記画像表示制御機能により表示制御される画像データを前記指定画像ファイル内で順に切り替えるプロット表示制御機能と、
前記プロット操作の順に従って、前記表示画面内でのプロット点の遷移方向を検出し、この遷移方向が変化する毎に、変化後の各プロット点を変化前のプロット点とは異なる表示形態で表示させるプロット表示形態制御機能と、
を実現させることを特徴とする。
【発明の効果】
【００１３】
本発明によれば、画像データの画像を表示した状態の表示画面内で、当該画像における所望の解析対象点についてのプロット操作をユーザが行うと、プロット操作に応じて表示画面内での当該プロット操作の対象位置にプロット点が表示されて維持されつつ、表示制御される画像データが指定画像ファイル内で順に切り替えられ、プロット操作の順に従って、表示画面内でのプロット点の遷移方向が検出され、この遷移方向が変化する毎に、変化後の各プロット点が変化前のプロット点とは異なる表示形態で表示されるので、解析対象点が同位置を複数回通過してプロットが重なる場合であっても、何れの方向に向かう移動内でのプロットであるかを見易く表示することができる。
【図面の簡単な説明】
【００１４】
【図１】関数電卓の概略構成を示す平面図である。
【図２】関数電卓の機能構成を示すブロック図である。
【図３】画像ファイルの画像例を示す図である。
【図４】情報表示処理の流れを示すフローチャートである。
【図５】情報表示処理の流れを示すフローチャートである。
【図６】運動タイプと、プロット点の色，方向との関係を示す図である。
【図７】ディスプレイの表示内容を示す図である。
【図８】ディスプレイの表示内容を示す図である。
【図９】ディスプレイの表示内容を示す図である。
【図１０】ディスプレイの表示内容を示す図である。
【図１１】ディスプレイの表示内容を示す図である。
【図１２】ディスプレイの表示内容を示す図である。
【発明を実施するための最良の形態】
【００１５】
以下、添付図面を参照して本発明に係る実施の形態の一例を詳細に説明する。ただし、発明の範囲は、図示例に限定されない。
【００１６】
［１．１  外観構成］
図１は、本発明に係る電子機器を適用した関数電卓１の概略構成を示す平面図である。
この図に示すように、関数電卓１は、各種キー群を有する入力キー群２と、ディスプレイ３と、カードスロット４等を備えている。
【００１７】
入力キー群２は、ユーザから数値や演算記号等の数式構成要素の入力操作を受けたり、各種処理の指示操作を受けたりするためのキー群であり、それぞれ固有の機能を割り当てられた複数のキーを備えている。本実施の形態においては、入力キー群２は、テンキー２０や演算記号キー２１、カーソルキー２２、ＥＸＥキー２３、削除キー２４等を備えている。
【００１８】
このうち、テンキー２０は数値の入力操作を受けるキーであり、演算記号キー２１は四則演算の記号や括弧、分数の括線、根号（√）、対数記号、定数（円周率「π」や光速度「ｃ」等）、三角関数記号など、各種演算記号の入力操作を受けるキーである。
【００１９】
カーソルキー２２は、ディスプレイ３内で編集対象位置や選択対象位置を示すカーソルを所定の方向に移動させる場合等に押下されるキーであり、本実施の形態においては、上下左右の４方向について入力可能に構成されている。
【００２０】
ＥＸＥキー２３は、処理の実行指示や決定指示の入力操作を受けるキーであり、例えば数式の入力後に演算処理の実行を指示するキーとして機能するようになっている。削除キー２４は、ディスプレイ３に表示されている数値や演算記号などの削除操作を受けるキーである。
【００２１】
ディスプレイ３は、ＬＣＤ（Liquid Crystal Display）やＥＬＤ（Electronic Luminescent Display）等により構成されており、入力キー群２などの操作に応じた文字や符号、数式、演算結果などの他、関数電卓１を使用するために必要な各種データを表示するようになっている。なお、本実施の形態におけるディスプレイ３では、複数のレイヤーを重ねて表示することができるようになっている。また、本実施の形態におけるディスプレイ３には、タッチパネル３０が表示画面全面に亘って一体的に設けられている。
【００２２】
カードスロット４は、種々の情報を記憶した外部情報記憶媒体４ａ（図２参照）と着脱可能に設けられている。
【００２３】
［１．２  機能構成］
続いて、関数電卓１の機能構成を説明する。
図２は、関数電卓１の概略的な機能構成を示すブロック図である。
【００２４】
この図に示すように、関数電卓１は、キー入力部１４と、表示部１５と、通信部１６と、記録媒体読取部１７と、記憶部１３と、ＲＡＭ（Random Access Memory）１２と、ＣＰＵ（Central Processing Unit）１１と、を備えて構成されている。
【００２５】
キー入力部１４は、上述の入力キー群２を備えており、押下されたキーに対応する操作信号をＣＰＵ１１に出力するようになっている。
【００２６】
表示部１５は、上述のディスプレイ３を備えており、ＣＰＵ１１からの表示信号に従って各種情報をディスプレイ３に表示するようになっている。また、この表示部１５は、ディスプレイ３と一体的に設けられたタッチパネル３０を備えており、表示画面に対する入力ペンの接触位置情報をＣＰＵ１１に出力するようになっている。
【００２７】
通信部１６は、インターネットに接続可能となっており、これにより、インターネットに接続される外部機器との通信が可能となっている。
【００２８】
記録媒体読取部１７は、上述のカードスロット４を備えており、当該カードスロット４に装着された外部情報記憶媒体４ａから情報を読み出したり、当該外部情報記憶媒体４ａに情報を記録したりするようになっている。
【００２９】
ここで、外部情報記憶媒体４ａには、通信部１６を介してダウンロードされる画像ファイル１３２等が格納されるようになっている。なお、この画像ファイル１３２は後述の記憶部１３における画像ファイル１３２と同様のデータ構造を有しているため、ここでは説明を省略する。
【００３０】
記憶部１３は、ＲＯＭ（Read  Only  Memory）等により構成される不揮発性のメモリであり、各種プログラム及び各種データを記憶している。具体的には、記憶部１３は、本発明に係るプログラムとしての情報表示プログラム１３０と、画像ファイル群１３１とを記憶している。
【００３１】
情報表示プログラム１３０は、後述の情報表示処理（図４〜図５参照）をＣＰＵ１１に実行させるためのプログラムである。
【００３２】
画像ファイル群１３１には、複数の画像ファイル１３２が含まれており、各画像ファイル１３２には複数の画像データ１３３と、表示態様設定データ１３４とが含まれている。
【００３３】
このうち画像データ１３３は、座標系に重ねて表示可能な画像についてのデータであり、グラフで近似し得る所定形状（例えば放物線や直線など）を表すようになっている。より詳細には、画像データ１３３の画像は、例えば図３（ａ）に示すように、ボールや振り子などの移動物体を連続撮影したそれぞれの画像となっており、各画像における物体位置（解析対象点）の集合によって所定形状を表すようになっている。なお、これらの画像データ１３３は、動画データから抽出されたデータであっても良いし、作図された画像など、実際の事象とは異なる画像のデータであっても良い。
【００３４】
表示態様設定データ１３４には、表示画面内の画像表示領域に合わせて設定されるべきＸＹ座標系の範囲（ＸＹ軸の上限値，下限値）や目盛間隔についての情報が含まれている。
【００３５】
ＲＡＭ１２は、情報を一時的に格納する揮発性のメモリであり、実行される各種プログラムやこれら各種プログラムに係るデータ等を格納する複数のワークエリアを有する。具体的には、本実施の形態におけるＲＡＭ１２は、運動タイプ記憶領域１２０やプロット形状記憶領域１２１、方向変化回数記憶領域１２２を有している。
【００３６】
運動タイプ記憶領域１２０には、後述の情報表示処理（図４〜図５参照）において画像ファイル１３２内の各画像で示される解析対象点の運動のタイプ（種類）が記憶されるようになっている。ここで、運動のタイプとしては、例えば、左右運動（ばね運動、振り子運動など）や上下運動（バウンド、自由落下など）、回転運動（円運動、楕円運動など）が用いられている。
【００３７】
プロット形状記憶領域１２１には、後述の情報表示処理（図４〜図５参照）において画像に重ねて表示されるプロット点Ｐの形状が記憶されるようになっている。
【００３８】
方向変化回数記憶領域１２２には、後述の情報表示処理（図４〜図５参照）においてプロット点Ｐの遷移方向の変化回数が記憶されるようになっている。
【００３９】
ＣＰＵ１１は、関数電卓１の各部を中央制御する。具体的には、ＣＰＵ１１は、記憶部１３に記憶されているシステムプログラム及び各種アプリケーションプログラムの中から指定されたプログラムをＲＡＭ１２に展開し、ＲＡＭ１２に展開されたプログラムとの協働で、各種処理を実行する。
【００４０】
［１．３  関数電卓の動作］
続いて、関数電卓１の動作について説明する。
【００４１】
図４〜図５は、情報表示処理の動作を説明するためのフローチャートである。なお、この情報表示処理は、ユーザによりタッチパネル３０やキー入力部１４を介して情報表示処理の実行指示が入力されると、記憶部１３から情報表示プログラム１３０が読み出されてＲＡＭ１２に適宜展開される結果、当該情報表示プログラム１３０とＣＰＵ１１との協働によって実行される。
【００４２】
図４に示すように、情報表示処理においては、まずＣＰＵ１１は、記憶部１３から何れかの画像ファイル１３２の読み出す旨の操作が行われるか否かを判定する（ステップＳ１）。
【００４３】
このステップＳ１において記憶部１３から画像ファイル１３２を読み出す旨の操作が行われたと判定した場合（ステップＳ１；Ｙｅｓ）には、ＣＰＵ１１は、ユーザ操作に基づいて何れかの画像ファイル１３２を指定画像ファイル１３２Ｓとして指定した後（ステップＳ２）、後述のステップＳ２１に移行する。
【００４４】
また、上述のステップＳ１において記憶部１３から画像ファイル１３２を読み出す旨の操作が行われないと判定した場合（ステップＳ１；Ｎｏ）には、ＣＰＵ１１は、インターネット上のサーバから画像ファイル１３２を読み出す旨の操作が行われるか否かを判定し（ステップＳ１１）、行われないと判定した場合（ステップＳ１１；Ｎｏ）には他の処理へ移行する。
【００４５】
また、ステップＳ１１においてサーバから画像ファイル１３２を読み出す旨の操作が行われたと判定した場合（ステップＳ１１；Ｙｅｓ）には、ＣＰＵ１１は、通信部１６を介してサーバと通信を行いつつ、ユーザ操作に基づいて、画像によって示されるべき運動のタイプを指定した後（ステップＳ１２）、指定タイプの運動を行う解析対象点を画像内に含む画像ファイル１３２のファイル名をサーバから受信して、ディスプレイ３に一覧表示させる（ステップＳ１３）。
【００４６】
次に、ＣＰＵ１１は、ユーザ操作に基づいて何れかの画像ファイル１３２を指定画像ファイル１３２Ｓとして指定した後（ステップＳ１４）、ステップＳ１２で指定された運動のタイプを当該画像ファイル１３２の運動タイプとして設定し、運動タイプ記憶領域１２０に記憶させる（ステップＳ１５）。なお、本実施の形態においては、このときＣＰＵ１１は、指定画像ファイル１３２Ｓの内容をＲＡＭ１２に一時記憶させることとして説明するが、記憶部１３の画像ファイル群１３１に含めて記憶することとしても良い。
【００４７】
次に、ＣＰＵ１１は、指定画像ファイル１３２Ｓにおける先頭の画像データ１３３の画像をディスプレイ３に表示させた後（ステップＳ２１）、プロット操作を開始する旨の操作が行われるか否かを判定する（ステップＳ２２）。
【００４８】
このステップＳ２２においてプロット操作を開始する旨の操作が行われないと判定した場合（ステップＳ２２；Ｎｏ）には、ＣＰＵ１１は、画像内の解析対象点についての運動タイプの指定操作が行われるか否かを判定する（ステップＳ５１）。
【００４９】
このステップＳ５１において運動タイプの指定操作が行われたと判定した場合（ステップＳ５１；Ｙｅｓ）には、ＣＰＵ１１は、画像内の解析対象点についての運動タイプの選択肢として「左右運動（振り子、左右ばね他）」，「上下運動（バウンド、自由落下等）」，「回転運動（円、楕円他）」、「自動検知」をディスプレイ３に表示させて、ユーザ操作に基づいて何れかの選択肢の運動タイプを選択する（ステップＳ５２）。ここで、「自動検知」の選択肢は、ＣＰＵ１１が自動で運動タイプを検知することを意味する。また、上述のステップＳ１２により運動タイプが指定されている場合には、このステップＳ５２においてＣＰＵ１１は、同じ運動タイプ、つまり既に運動タイプ記憶領域１２０に記憶されている運動タイプを自動的に選択する。
【００５０】
次に、ＣＰＵ１１は、選択された運動タイプを運動タイプ記憶領域１２０に記憶させ（ステップＳ５３）、上述のステップＳ２２に移行する。
【００５１】
また、ステップＳ５１において運動タイプの指定操作が行われないと判定した場合（ステップＳ５１；Ｎｏ）には、ＣＰＵ１１は、プロット形状の指定操作が行われるか否かを判定し（ステップＳ５５）、行われないと判定した場合（ステップＳ５５；Ｎｏ）には、上述のステップＳ２２に移行する。
【００５２】
また、ステップＳ５５においてプロット形状の指定操作が行われたと判定した場合（ステップＳ５５；Ｙｅｓ）には、ＣＰＵ１１は、プロット形状の選択肢として「×」マークや「＋」マーク、矢印マーク、数字マークをディスプレイ３に表示させて、ユーザ操作に基づいて何れかの選択肢のプロット形状を選択する（ステップＳ５６）。ここで、矢印マークの形状のプロット点Ｐは、プロット点Ｐの遷移方向に向いた状態で表示されるようになっている。また、数字マークの形状のプロット点Ｐは、方向変化回数記憶領域１２２における方向変化回数に対応する番号（以下、方向変化番号とする）を示すようになっている。
【００５３】
次に、ＣＰＵ１１は、選択されたプロット形状をプロット形状記憶領域１２１に記憶させた後（ステップＳ５７）、上述のステップＳ２２に移行する。
【００５４】
そして、このステップＳ２２においてプロット操作を開始する旨の操作が行われたと判定した場合（ステップＳ２２；Ｙｅｓ）には、ＣＰＵ１１は、方向変化回数記憶領域１２２に「１」を記憶させた後（ステップＳ２３）、画像データ１３３の画像を表示した状態の表示画面内で、当該画像における所望の解析対象点についてのプロット操作（タッチ操作）を受け付ける（ステップＳ２４）。
【００５５】
次に、ＣＰＵ１１は、プロット形状記憶領域１２１に記憶された形状のプロット点Ｐをプロット位置（プロット操作の対象位置）に黒色で表示させる（ステップＳ２５）。なお。このときＣＰＵ１１は、プロット形状記憶領域１２１に記憶されたプロット形状が「数字マーク」である場合には、方向変化回数記憶領域１２２内の方向変化回数を読み出し、プロット点Ｐの形状を、方向変化回数の対応番号（方向変化番号）の形状とする。
【００５６】
次に、図５に示すように、ＣＰＵ１１は、既に表示されている各プロット点Ｐを表示させて維持しつつ、指定画像ファイル１３２Ｓにおける次の画像データ１３３の画像を表示対象に切り替えてディスプレイ３に表示させた後（ステップＳ２６）、表示画面内でプロット操作（タッチ操作）を受け付ける（ステップＳ２７）。
【００５７】
次に、ＣＰＵ１１は、運動タイプ記憶領域１２０に記憶されている運動タイプが「自動検知」であるか否かを判定し（ステップＳ２８）、「自動検知」でないと判定した場合（ステップＳ２８；Ｎｏ）には、後述のステップＳ４１に移行する。
【００５８】
また、ステップＳ２８において運動タイプ記憶領域１２０に記憶されている運動タイプが「自動検知」であると判定した場合（ステップＳ２８；Ｙｅｓ）には、ＣＰＵ１１は、前回のプロット位置と、今回のプロット位置とでプロット位置の遷移方向が概ね左右方向であるか否かを判定する（ステップＳ３１）。
【００５９】
このステップＳ３１において前回のプロット位置と今回のプロット位置とでプロット位置の遷移方向が概ね左右方向であると判定した場合（ステップＳ３１；Ｙｅｓ）には、ＣＰＵ１１は、運動タイプ記憶領域１２０に運動タイプとして「左右運動」を記憶させ（ステップＳ３２）、後述のステップＳ４１に移行する。
【００６０】
また、ステップＳ３１において前回のプロット位置と今回のプロット位置とでプロット位置の遷移方向が左右方向ではないと判定した場合（ステップＳ３１；Ｎｏ）には、ＣＰＵ１１は、前回のプロット位置と、今回のプロット位置とでプロット位置の遷移方向が概ね上下方向であるか否かを判定する（ステップＳ３３）。
【００６１】
このステップＳ３３において前回のプロット位置と今回のプロット位置とでプロット位置の遷移方向が概ね上下方向であると判定した場合（ステップＳ３３；Ｙｅｓ）には、ＣＰＵ１１は、運動タイプ記憶領域１２０に運動タイプとして「上下運動」を記憶させ（ステップＳ３４）、後述のステップＳ４１に移行する。
【００６２】
また、ステップＳ３３において前回のプロット位置と今回のプロット位置とでプロット位置の遷移方向が上下方向ではないと判定した場合（ステップＳ３３；Ｎｏ）には、ＣＰＵ１１は、運動タイプ記憶領域１２０に運動タイプとして「回転運動」を記憶させる（ステップＳ３５）。
【００６３】
次に、ＣＰＵ１１は、運動タイプに応じたプロット点の色や方向を決定する（ステップＳ４１）。
【００６４】
具体的には、図６に示すように、運動タイプが「左右運動」であり、今回のプロット位置が前回のプロット位置と比較してＸ軸方向（ディスプレイ３の左から右に向かう方向）にマイナスの遷移をしている場合には、ＣＰＵ１１は、今回表示されるプロット点Ｐの色をピンクにする。また、このとき、プロット形状記憶領域１２１に記憶されたプロット形状が「矢印マーク」である場合には、ＣＰＵ１１は、今回表示されるプロット点Ｐ（矢印マーク）の向きを左向きにする。
【００６５】
また、運動タイプが「左右運動」であり、今回のプロット位置が前回のプロット位置と比較してＸ軸方向にプラスの遷移をしている場合には、ＣＰＵ１１は、今回表示されるプロット点Ｐの色を青色にする。また、このとき、プロット形状記憶領域１２１に記憶されたプロット形状が「矢印マーク」である場合には、ＣＰＵ１１は、今回表示されるプロット点Ｐ（矢印マーク）の向きを右向きにする。
【００６６】
また、運動タイプが「上下運動」であり、今回のプロット位置が前回のプロット位置と比較してＹ軸方向（ディスプレイ３の下から上に向かう方向）にマイナスの遷移をしている場合には、ＣＰＵ１１は、今回表示されるプロット点Ｐの色をピンクにする。また、このとき、プロット形状記憶領域１２１に記憶されたプロット形状が「矢印マーク」である場合には、ＣＰＵ１１は、今回表示されるプロット点Ｐ（矢印マーク）の向きを下向きにする。
【００６７】
また、運動タイプが「上下運動」であり、今回のプロット位置が前回のプロット位置と比較してＹ軸方向にプラスの遷移をしている場合には、ＣＰＵ１１は、今回表示されるプロット点Ｐの色を青色にする。また、このとき、プロット形状記憶領域１２１に記憶されたプロット形状が「矢印マーク」である場合には、ＣＰＵ１１は、今回表示されるプロット点Ｐ（矢印マーク）の向きを上向きにする。
【００６８】
また、運動タイプが「回転運動」であり、今回のプロット位置が前回のプロット位置と比較してＸ軸方向にプラス、Ｙ軸方向にプラスの遷移をしている場合には、ＣＰＵ１１は、今回表示されるプロット点Ｐの色をピンクにする。また、このとき、プロット形状記憶領域１２１に記憶されたプロット形状が「矢印マーク」である場合には、ＣＰＵ１１は、今回表示されるプロット点Ｐ（矢印マーク）の向きを右上向きにする。
【００６９】
また、運動タイプが「回転運動」であり、今回のプロット位置が前回のプロット位置と比較してＸ軸方向にプラス、Ｙ軸方向にマイナスの遷移をしている場合には、ＣＰＵ１１は、今回表示されるプロット点Ｐの色を青色にする。また、このとき、プロット形状記憶領域１２１に記憶されたプロット形状が「矢印マーク」である場合には、ＣＰＵ１１は、今回表示されるプロット点Ｐ（矢印マーク）の向きを右下向きにする。
【００７０】
また、運動タイプが「回転運動」であり、今回のプロット位置が前回のプロット位置と比較してＸ軸方向にマイナス、Ｙ軸方向にプラスの遷移をしている場合には、ＣＰＵ１１は、今回表示されるプロット点Ｐの色を緑色にする。また、このとき、プロット形状記憶領域１２１に記憶されたプロット形状が「矢印マーク」である場合には、ＣＰＵ１１は、今回表示されるプロット点Ｐ（矢印マーク）の向きを左上向きにする。
【００７１】
また、運動タイプが「回転運動」であり、今回のプロット位置が前回のプロット位置と比較してＸ軸方向にマイナス、Ｙ軸方向にマイナスの遷移をしている場合には、ＣＰＵ１１は、今回表示されるプロット点Ｐの色を水色にする。また、このとき、プロット形状記憶領域１２１に記憶されたプロット形状が「矢印マーク」である場合には、ＣＰＵ１１は、今回表示されるプロット点Ｐ（矢印マーク）の向きを左下向きにする。
【００７２】
以上のステップＳ４１により、運動タイプ記憶領域１２０に記憶された運動タイプに基づき、プロット操作の順に従って表示画面内でのプロット点Ｐの遷移方向が検出され、この遷移方向が変化する毎に、変化後の各プロット点Ｐが変化前のプロット点Ｐとは異なる表示形態に決定されることとなる。
【００７３】
次に、図５に示すように、ＣＰＵ１１は、前回のプロット点Ｐから今回のプロット位置への遷移方向と、前回のプロット点Ｐまでの遷移方向とが一致するか否かに基づいて、遷移方向が変化したか否かを判定し、変化した場合には、方向変化回数記憶領域１２２内の方向変化回数に「１」を加算する（ステップＳ４２）。これにより、今回のプロット位置に新たなプロット点Ｐが表示された場合での遷移方向の変化回数が方向変化回数記憶領域１２２に記憶される。なお、このとき前回のプロット点Ｐまでの遷移方向が存在しない場合には、ＣＰＵ１１は方向変化回数を加算せず、そのままの値とする。
【００７４】
次に、ＣＰＵ１１は、ステップＳ４１で決定した色のプロット点Ｐを、今回のプロット位置に表示させる（ステップＳ４３）。また、このときＣＰＵ１１は、プロット形状記憶領域１２１に記憶されたプロット形状が「数字マーク」である場合には、方向変化回数記憶領域１２２内の方向変化回数を読み出し、プロット点Ｐの形状を、方向変化回数の対応番号（方向変化番号）の形状とする。また、このときＣＰＵ１１は、プロット形状記憶領域１２１に記憶されたプロット形状が「矢印マーク」である場合には、プロット点Ｐの形状を、ステップＳ４１で決定された向きの矢印形状とする。
【００７５】
次に、ＣＰＵ１１は、前回のプロット点Ｐが黒色で表示されているか否かを判定し（ステップＳ４４）、黒色で表示されていないと判定した場合（ステップＳ４４；Ｎｏ）には後述のステップＳ４７に移行する。
【００７６】
また、ステップＳ４４において前回のプロット点Ｐが黒色で表示されていると判定した場合（ステップＳ４４；Ｙｅｓ）には、ＣＰＵ１１は、運動タイプ記憶領域１２０に記憶された運動タイプが「左右運動」及び「上下運動」の何れかであるか否かを判定し（ステップＳ４５）、何れでもないと判定した場合（ステップＳ４５；Ｎｏ）には後述のステップＳ４７に移行する。
【００７７】
また、ステップＳ４５において運動タイプが「左右運動」及び「上下運動」の何れかであると判定した場合（ステップＳ４５；Ｙｅｓ）には、ＣＰＵ１１は、前回のプロット点Ｐを、今回のプロット点Ｐと同じ色に変更する（ステップＳ４６）。
【００７８】
次に、ＣＰＵ１１は、指定画像ファイル１３２Ｓに次の画像データ１３３が存在するか否かを判定し（ステップＳ４７）、存在すると判定した場合（ステップＳ４７；Ｙｅｓ）には上述のステップＳ２６に移行する。
【００７９】
また、ステップＳ４７において指定画像ファイル１３２Ｓに次の画像データ１３３が存在しないと判定した場合（ステップＳ４７；Ｎｏ）には、ＣＰＵ１１は、現時点で表示されているプロット点Ｐの散布図を表示させる旨の操作が行われるか否かを判定し（ステップＳ４８）、行われないと判定した場合（ステップＳ４８；Ｎｏ）には他の処理へ移行する。
【００８０】
また、ステップＳ４８においてプロット点Ｐの散布図を表示させる旨の操作が行われたと判定した場合（ステップＳ４８；Ｙｅｓ）には、ＣＰＵ１１は、プロット点Ｐの重ねられた画像をディスプレイ３の左側領域に表示させるとともに、これらプロット点Ｐの散布図（横軸に画像の撮影時間、縦軸にＸ軸方向（またはＹ軸方向）のプロット位置を示した図）をディスプレイ３の右側領域に表示させ（ステップＳ４９）、情報表示処理を終了する。
【００８１】
［１．４  動作例］
続いて、図面を参照しつつ、上述した関数電卓１の動作を具体的に説明する。
【００８２】
（動作例１）
まず、記憶部１３から何れかの画像ファイル１３２の読み出す旨の操作をユーザが行い（ステップＳ１；Ｙｅｓ）、図３（ａ）の左側に示される振り子の画像ファイル１３２を指定すると、この画像ファイル１３２が指定画像ファイル１３２Ｓとして指定される（ステップＳ２）。
【００８３】
次に、図７（ａ）に示すように、指定画像ファイル１３２Ｓにおける先頭の画像データ１３３の画像がディスプレイ３に表示され（ステップＳ２１）、ユーザが画像内の解析対象点についての運動タイプの指定操作を行うと（ステップＳ５１；Ｙｅｓ）、図７（ｂ）に示すように、運動タイプの選択肢として「左右運動（振り子、左右ばね他）」，「上下運動（バウンド、自由落下等）」，「回転運動（円、楕円他）」、「自動検知」が表示される。
【００８４】
次に、図７（ｃ）に示すように、ユーザが運動タイプ「左右運動」を選択すると（ステップＳ５２）、選択された運動タイプ「左右運動」が運動タイプ記憶領域１２０に記憶される（ステップＳ５３）。
【００８５】
次に、ユーザがプロット操作を開始する旨の操作を行うと（ステップＳ２２；Ｙｅｓ）、方向変化回数記憶領域１２２に「１」が記憶された後（ステップＳ２３）、図７（ｄ）に示すように、画像データ１３３の画像を表示した状態の表示画面内で、当該画像における所望の解析対象点（ここでは振り子の中心）についてのプロット操作（タッチ操作）が受け付けられる（ステップＳ２４）。
【００８６】
次に、ユーザがプロット操作を行うと、プロット形状記憶領域１２１に記憶された形状（ここでは「×」マーク）のプロット点Ｐｋがプロット位置（プロット操作の対象位置）に黒色で表示される（ステップＳ２５）。なお、本動作例においてプロット点Ｐの符号「Ｐ」に対する添え字「ｋ」は、当該プロット点Ｐが黒（black）で表示されていることを示している。同様に、プロット点Ｐの符号「Ｐ」に対する添え字「ｐ」，「ｂ」，「ｇ」，「ｌｂ」は、当該プロット点Ｐがピンク（pink），青色（blue），緑色（green），水色（light blue）で表示されていることを示している。
【００８７】
次に、既に表示されているプロット点Ｐｋが表示されて維持されつつ、指定画像ファイル１３２Ｓにおける次の画像データ１３３の画像が表示された後（ステップＳ２６）、表示画面内でプロット操作（タッチ操作）が受け付けられる（ステップＳ２７）。
【００８８】
次に、ユーザがプロット操作を行うと、運動タイプが「左右運動」であり、今回のプロット位置が前回のプロット位置と比較してＸ軸方向にマイナスの遷移をしていると判定され、今回表示されるプロット点Ｐの色がピンクに決定される（ステップＳ４１）。
【００８９】
次に、図７（ｅ）に示すように、ステップＳ４１で決定した色（ピンク）のプロット点Ｐｐが今回のプロット位置に表示された後（ステップＳ４３）、前回のプロット点Ｐｋが黒色で表示されていると判定され（ステップＳ４４；Ｙｅｓ）、前回のプロット点Ｐｋが今回のプロット点Ｐｐと同じ色（ピンク）に変更される（ステップＳ４６）。
【００９０】
次に、指定画像ファイル１３２Ｓに次の画像データ１３３が存在すると判定され（ステップＳ４７；Ｙｅｓ）、既に表示されているプロット点Ｐが表示されて維持されつつ、指定画像ファイル１３２Ｓにおける次の画像データ１３３の画像が表示された後（ステップＳ２６）、表示画面内でプロット操作（タッチ操作）が受け付けられる（ステップＳ２７）。
【００９１】
以降、図８（ａ)に示すように、同様にして、ユーザがプロット操作を行い、運動タイプが「左右運動」、今回のプロット位置が前回のプロット位置と比較してＸ軸方向にマイナスの遷移をしていると判定されると、表示される各プロット点Ｐの色がピンクに決定され（ステップＳ４１）、決定した色（ピンク）のプロット点Ｐが今回のプロット位置に表示される（ステップＳ４３）。
【００９２】
一方、図８（ｂ）に示すように、ユーザがプロット操作を行い、運動タイプが「左右運動」、今回のプロット位置が前回のプロット位置と比較してＸ軸方向にプラスの遷移をしていると判定されると、表示される各プロット点Ｐの色が青色に決定され（ステップＳ４１）、決定した色（青色）のプロット点Ｐが今回のプロット位置に表示される（ステップＳ４３）。なお、この図では、青色のプロットＰｂを網掛けで表示している。
【００９３】
以降、図８（ｃ)に示すように、同様にして、ユーザがプロット操作を行い、運動タイプが「左右運動」、今回のプロット位置が前回のプロット位置と比較してＸ軸方向にプラスの遷移をしていると判定されると、表示される各プロット点Ｐの色が青色に決定され（ステップＳ４１）、決定した色（青色）のプロット点Ｐが今回のプロット位置に表示される（ステップＳ４３）。
【００９４】
そして、指定画像ファイル１３２Ｓに次の画像データ１３３が存在しないと判定され（ステップＳ４７；Ｎｏ）、現時点で表示されているプロット点Ｐの散布図を表示させる旨の操作をユーザが行うと（ステップＳ４８；Ｙｅｓ）、図８（ｄ）に示すように、プロット点Ｐの重ねられた画像がディスプレイ３の左側領域に表示されるとともに、プロット点Ｐの散布図がディスプレイ３の右側領域に表示される（ステップＳ４９）。
【００９５】
（動作例２）
まず、上述の図７（ｃ）に示した状態の後、プロット形状の指定操作をユーザが行うと（ステップＳ５５；Ｙｅｓ）、図９（ａ）に示すように、プロット形状の選択肢として「×」マークや「＋」マーク、矢印マーク、数字マークが表示されて、ユーザが数字マークのプロット形状を選択すると（ステップＳ５６）、選択されたプロット形状「数字マーク」がプロット形状記憶領域１２１に記憶される（ステップＳ５７）。
【００９６】
次に、ユーザがプロット操作を開始する旨の操作を行うと（ステップＳ２２；Ｙｅｓ）、方向変化回数記憶領域１２２に「１」が記憶された後（ステップＳ２３）、図９（ｂ）に示すように、画像データ１３３の画像を表示した状態の表示画面内で、当該画像における所望の解析対象点（ここでは振り子の中心）についてのプロット操作（タッチ操作）が受け付けられる（ステップＳ２４）。
【００９７】
次に、ユーザがプロット操作を行うと、プロット形状記憶領域１２１に記憶された形状（ここでは数字マーク）のプロット点Ｐがプロット位置（プロット操作の対象位置）に黒色で表示される（ステップＳ２５）。より詳細には、このとき方向変化回数記憶領域１２２内の方向変化回数「１」が読み出され、プロット点Ｐの形状が方向変化回数の対応番号「１」の形状とされる。
【００９８】
次に、図９（ｃ）に示すように、既に表示されているプロット点Ｐｋが表示されて維持されつつ、指定画像ファイル１３２Ｓにおける次の画像データ１３３の画像が表示された後（ステップＳ２６）、表示画面内でプロット操作（タッチ操作）が受け付けられる（ステップＳ２７）。
【００９９】
次に、ユーザがプロット操作を行うと、運動タイプが「左右運動」であり、今回のプロット位置が前回のプロット位置と比較してＸ軸方向にマイナスの遷移をしていると判定され、今回表示されるプロット点Ｐの色がピンクに決定される（ステップＳ４１）。なお、このとき前回のプロット点Ｐｋまでの遷移方向は存在しないため、方向変化回数記憶領域１２２内の方向変化回数は「１」のままとされる（ステップＳ４２）。
【０１００】
次に、ステップＳ４１で決定した色（ピンク）のプロット点Ｐが今回のプロット位置に表示された後（ステップＳ４３）、前回のプロット点Ｐｋが黒色で表示されていると判定され（ステップＳ４４；Ｙｅｓ）、前回のプロット点Ｐｋが今回のプロット点Ｐｐと同じ色（ピンク）に変更される（ステップＳ４６）。
【０１０１】
次に、指定画像ファイル１３２Ｓに次の画像データ１３３が存在すると判定され（ステップＳ４７；Ｙｅｓ）、既に表示されているプロット点Ｐが表示されて維持されつつ、指定画像ファイル１３２Ｓにおける次の画像データ１３３の画像が表示された後（ステップＳ２６）、表示画面内でプロット操作（タッチ操作）が受け付けられる（ステップＳ２７）。
【０１０２】
以降、同様にして、ユーザがプロット操作を行い、運動タイプが「左右運動」、今回のプロット位置が前回のプロット位置と比較してＸ軸方向にマイナスの遷移をしていると判定されると、表示される各プロット点Ｐの色がピンクに決定され（ステップＳ４１）、決定した色（ピンク）のプロット点Ｐが今回のプロット位置に表示される（ステップＳ４３）。
【０１０３】
一方、図９（ｄ）に示すように、ユーザがプロット操作を行い、運動タイプが「左右運動」、今回のプロット位置が前回のプロット位置と比較してＸ軸方向にプラスの遷移をしていると判定されると、表示される各プロット点Ｐの色が青色に決定される（ステップＳ４１）。
【０１０４】
次に、前回のプロット点Ｐから今回のプロット位置への遷移方向（右）と、前回のプロット点Ｐまでの遷移方向（左）とが一致するか否かに基づいて、遷移方向が変化したと判定され、方向変化回数記憶領域１２２内の方向変化回数が「２」とされた後（ステップＳ４２）、ステップＳ４１で決定した色（青色）のプロット点Ｐが今回のプロット位置に表示される（ステップＳ４３）なお、この図では、青色のプロットＰｂを網掛けで表示している。
【０１０５】
以降、同様にして、ユーザがプロット操作を行い、運動タイプが「左右運動」、今回のプロット位置が前回のプロット位置と比較してＸ軸方向にプラスの遷移をしていると判定されると、表示される各プロット点Ｐの色が青色に決定され（ステップＳ４１）、決定した色（青色）のプロット点Ｐが今回のプロット位置に表示される（ステップＳ４３）。
【０１０６】
そして、指定画像ファイル１３２Ｓに次の画像データ１３３が存在しないと判定され（ステップＳ４７；Ｎｏ）、現時点で表示されているプロット点Ｐの散布図を表示させる旨の操作をユーザが行うと（ステップＳ４８；Ｙｅｓ）、図９（ｅ）に示すように、プロット点Ｐの重ねられた画像がディスプレイ３の左側領域に表示されるとともに、プロット点Ｐの散布図がディスプレイ３の右側領域に表示される（ステップＳ４９）。
【０１０７】
（動作例３）
まず、サーバから画像ファイル１３２を読み出す旨の操作をユーザが行うと（ステップＳ１１；Ｙｅｓ）、サーバと通信が行われ、図１０（ａ）に示すように、画像によって示されるべき運動タイプの一覧がディスプレイ３に表示される。
【０１０８】
次に、ユーザが「回転運動」を指定すると（ステップＳ１２）、図１０（ｂ）に示すように、この運動タイプに該当する画像ファイル１３２のファイル名がディスプレイ３に一覧表示される（ステップＳ１３）。なお、このサーバには、運動タイプ「左右運動」に該当する画像ファイル１３２として、図３（ｂ）の左側に示す「振り子動画」の画像ファイル等が格納されており、運動タイプ「上下運動」に該当する画像ファイル１３２として、図３（ｂ）の中央に示す「バネ動画」の画像ファイル等が格納されており、運動タイプ「回転運動」に該当する画像ファイル１３２として、図３（ｂ）の右側に示す「掛け時計」の画像ファイル等が格納されている。
【０１０９】
次に、ユーザが「掛け時計」の画像ファイル１３２を指定画像ファイル１３２Ｓとして指定すると（ステップＳ１４）、ステップＳ１２で指定された運動のタイプ「回転運動」が当該画像ファイル１３２の運動タイプとして運動タイプ記憶領域１２０に記憶される（ステップＳ１５）。
【０１１０】
次に、図１０（ｃ）に示すように、指定画像ファイル１３２Ｓにおける先頭の画像データ１３３の画像がディスプレイ３に表示され（ステップＳ２１）、ユーザが解析対象点についての運動タイプの指定操作を確認のために行うと（ステップＳ５１；Ｙｅｓ）、図１０（ｄ）に示すように、運動タイプの選択肢として「左右運動（振り子、左右ばね他）」，「上下運動（バウンド、自由落下等）」，「回転運動（円、楕円他）」、「自動検知」が表示され、「回転運動」が選択された状態となり、選択された運動タイプ「回転運動」が運動タイプ記憶領域１２０に改めて記憶される（ステップＳ５３）。
【０１１１】
次に、ユーザがプロット操作を開始する旨の操作を行うと（ステップＳ２２；Ｙｅｓ）、方向変化回数記憶領域１２２に「１」が記憶された後（ステップＳ２３）、図１０（ｅ）に示すように、画像データ１３３の画像を表示した状態の表示画面内で、当該画像における所望の解析対象点（ここでは分針の先端）についてのプロット操作（タッチ操作）が受け付けられる（ステップＳ２４）。
【０１１２】
次に、ユーザがプロット操作を行うと、プロット形状記憶領域１２１に記憶された形状（ここでは「×」マーク）のプロット点Ｐｋがプロット位置（プロット操作の対象位置）に黒色で表示される（ステップＳ２５）。
【０１１３】
次に、図１０（ｆ）に示すように、既に表示されているプロット点Ｐｋが表示されて維持されつつ、指定画像ファイル１３２Ｓにおける次の画像データ１３３の画像が表示された後（ステップＳ２６）、表示画面内でプロット操作（タッチ操作）が受け付けられる（ステップＳ２７）。
【０１１４】
次に、ユーザがプロット操作を行うと、運動タイプが「回転運動」であり、今回のプロット位置が前回のプロット位置と比較してＸ軸方向にプラス、Ｙ軸方向にマイナスの遷移をしていると判定され、今回表示されるプロット点Ｐの色が青色に決定される（ステップＳ４１）。
【０１１５】
次に、ステップＳ４１で決定した色（青色）のプロット点Ｐが今回のプロット位置に表示された後（ステップＳ４３）、前回のプロット点Ｐｋが黒色で表示されていると判定され（ステップＳ４４；Ｙｅｓ）、前回のプロット点Ｐｋが今回のプロット点Ｐｂと同じ色（青色）に変更される（ステップＳ４６）。
【０１１６】
次に、指定画像ファイル１３２Ｓに次の画像データ１３３が存在すると判定され（ステップＳ４７；Ｙｅｓ）、既に表示されているプロット点Ｐが表示されて維持されつつ、指定画像ファイル１３２Ｓにおける次の画像データ１３３の画像が表示された後（ステップＳ２６）、表示画面内でプロット操作（タッチ操作）が受け付けられる（ステップＳ２７）。
【０１１７】
以降、図１１（ａ)に示すように、同様にして、ユーザがプロット操作を行うと、今回のプロット位置が前回のプロット位置と比較してＸ軸方向にプラス、Ｙ軸方向にプラスの遷移をしていると判定される場合には、表示される各プロット点Ｐの色がピンクに決定される。また、今回のプロット位置が前回のプロット位置と比較してＸ軸方向にプラス、Ｙ軸方向にマイナスの遷移をしていると判定される場合には、表示される各プロット点Ｐの色が青色に決定される。また、今回のプロット位置が前回のプロット位置と比較してＸ軸方向にマイナス、Ｙ軸方向にプラスの遷移をしていると判定される場合には、表示される各プロット点Ｐの色が緑色に決定される。また、今回のプロット位置が前回のプロット位置と比較してＸ軸方向にマイナス、Ｙ軸方向にマイナスの遷移をしていると判定される場合には、表示される各プロット点Ｐの色が水色に決定される（ステップＳ４１）。
そして、決定した色のプロット点Ｐが今回のプロット位置に表示される（ステップＳ４３）。
【０１１８】
次に、指定画像ファイル１３２Ｓに次の画像データ１３３が存在しないと判定され（ステップＳ４７；Ｎｏ）、現時点で表示されているプロット点Ｐの散布図を表示させる旨の操作をユーザが行うと（ステップＳ４８；Ｙｅｓ）、図１１（ｂ），（ｃ）に示すように、プロット点Ｐの重ねられた画像がディスプレイ３の左側領域に表示されるとともに、プロット点Ｐの散布図がディスプレイ３の右側領域に表示される（ステップＳ４９）。
【０１１９】
また、上述の図１０（ｄ）に示した状態の後、プロット形状の指定操作をユーザが行うと（ステップＳ５５；Ｙｅｓ）、図１１（ｄ）に示すように、プロット形状の選択肢として「×」マークや「＋」マーク、矢印マーク、数字マークが表示されて、ユーザが矢印マークのプロット形状を選択すると（ステップＳ５６）、選択されたプロット形状「矢印マーク」がプロット形状記憶領域１２１に記憶される（ステップＳ５７）。
【０１２０】
そして、図１０（ｅ）〜図１１（ａ）と同様にプロット操作を行った後、プロット点Ｐの散布図を表示させる旨の操作をユーザが行うと（ステップＳ４８；Ｙｅｓ）、図１１（ｅ）に示すように、矢印マークのプロット点Ｐと重ねられた画像がディスプレイ３の左側領域に表示されるとともに、プロット点Ｐの散布図がディスプレイ３の右側領域に表示される（ステップＳ４９）。
【０１２１】
（動作例４）
まず、記憶部１３から何れかの画像ファイル１３２の読み出す旨の操作をユーザが行い（ステップＳ１；Ｙｅｓ）、図３（ａ）の右側に示される「ボール動画」の画像ファイル１３２を指定すると、この画像ファイル１３２が指定画像ファイル１３２Ｓとして指定される（ステップＳ２）。
【０１２２】
次に、図１２（ａ）に示すように、指定画像ファイル１３２Ｓにおける先頭の画像データ１３３の画像がディスプレイ３に表示され（ステップＳ２１）、ユーザが画像内の解析対象点についての運動タイプの指定操作を行うと（ステップＳ５１；Ｙｅｓ）、図１２（ｂ）に示すように、運動タイプの選択肢として「左右運動（振り子、左右ばね他）」，「上下運動（バウンド、自由落下等）」，「回転運動（円、楕円他）」、「自動検知」が表示される。
【０１２３】
次に、ユーザが運動タイプ「自動検知」を選択すると（ステップＳ５２）、選択された運動タイプ「自動検知」が運動タイプ記憶領域１２０に記憶される（ステップＳ５３）。
【０１２４】
次に、ユーザがプロット操作を開始する旨の操作を行うと（ステップＳ２２；Ｙｅｓ）、方向変化回数記憶領域１２２に「１」が記憶された後（ステップＳ２３）、図１２（ｃ）に示すように、画像データ１３３の画像を表示した状態の表示画面内で、当該画像における所望の解析対象点（ここではボールの位置）についてのプロット操作（タッチ操作）が受け付けられる（ステップＳ２４）。
【０１２５】
次に、ユーザがプロット操作を行うと、プロット形状記憶領域１２１に記憶された形状（ここでは「×」マーク）のプロット点Ｐｋがプロット位置（プロット操作の対象位置）に黒色で表示される（ステップＳ２５）。
【０１２６】
次に、既に表示されているプロット点Ｐｋが表示されて維持されつつ、指定画像ファイル１３２Ｓにおける次の画像データ１３３の画像が表示された後（ステップＳ２６）、表示画面内でプロット操作（タッチ操作）が受け付けられる（ステップＳ２７）。
【０１２７】
次に、ユーザがプロット操作を行うと、運動タイプ記憶領域１２０に記憶されている運動タイプが「自動検知」であると判定された後（ステップＳ２８；Ｙｅｓ）、前回のプロット位置と、今回のプロット位置とでプロット位置の遷移方向が概ね上下方向であると判定され（ステップＳ３３；Ｙｅｓ）、運動タイプ記憶領域１２０に運動タイプとして「上下運動」が記憶される（ステップＳ３４）。
【０１２８】
次に、運動タイプが「上下運動」であり、今回のプロット位置が前回のプロット位置と比較してＹ軸方向にマイナスの遷移をしていると判定され、今回表示されるプロット点Ｐの色がピンクに決定される（ステップＳ４１）。
【０１２９】
次に、図１２（ｄ）に示すように、ステップＳ４１で決定した色（ピンク）のプロット点Ｐｐが今回のプロット位置に表示された後（ステップＳ４３）、前回のプロット点Ｐｋが黒色で表示されていると判定され（ステップＳ４４；Ｙｅｓ）、前回のプロット点Ｐｋが今回のプロット点Ｐｐと同じ色（ピンク）に変更される（ステップＳ４６）。
【０１３０】
次に、指定画像ファイル１３２Ｓに次の画像データ１３３が存在すると判定され（ステップＳ４７；Ｙｅｓ）、既に表示されているプロット点Ｐが表示されて維持されつつ、指定画像ファイル１３２Ｓにおける次の画像データ１３３の画像が表示された後（ステップＳ２６）、表示画面内でプロット操作（タッチ操作）が受け付けられる（ステップＳ２７）。
【０１３１】
以降、図１２（ｅ)に示すように、同様にして、ユーザがプロット操作を行い、運動タイプが「上下運動」、今回のプロット位置が前回のプロット位置と比較してＹ軸方向にマイナスの遷移をしていると判定されると、表示される各プロット点Ｐの色がピンクに決定され（ステップＳ４１）、決定した色（ピンク）のプロット点Ｐが今回のプロット位置に表示される（ステップＳ４３）。
【０１３２】
一方、図１２（ｆ）に示すように、ユーザがプロット操作を行い、運動タイプが「上下運動」、今回のプロット位置が前回のプロット位置と比較してＹ軸方向にプラスの遷移をしていると判定されると、表示される各プロット点Ｐの色が青色に決定され（ステップＳ４１）、決定した色（青色）のプロット点Ｐが今回のプロット位置に表示される（ステップＳ４３）
【０１３３】
以降、図１２（ｇ)に示すように、同様にして、ユーザがプロット操作を行い、運動タイプが「上下運動」、今回のプロット位置が前回のプロット位置と比較してＸ軸方向にプラスの遷移をしていると判定されると、表示される各プロット点Ｐの色が青色に決定され（ステップＳ４１）、決定した色（青色）のプロット点Ｐが今回のプロット位置に表示される（ステップＳ４３）。
【０１３４】
以上、本実施の形態によれば、図５のステップＳ４１や図６、図７〜図１２等に示したように、画像データ１３３の画像を表示した状態の表示画面内で、当該画像における所望の解析対象点についてのプロット操作をユーザが行うと、プロット操作に応じて表示画面内での当該プロット操作の対象位置にプロット点Ｐが表示されて維持されつつ、表示制御される画像データ１３３が指定画像ファイル１３２Ｓ内で順に切り替えられ、プロット操作の順に従って、表示画面内でのプロット点Ｐの遷移方向が検出され、この遷移方向が変化する毎に、変化後の各プロット点Ｐが変化前のプロット点Ｐとは異なる表示形態で表示されるので、解析対象点が同位置を複数回通過してプロットが重なる場合であっても、何れの方向に向かう移動内でのプロットであるかを見易く表示することができる。
【０１３５】
また、図４のステップＳ１２〜Ｓ１５や図１０等に示したように、選択された種類の運動を行う解析対象点が各画像内に含まれる画像ファイル１３２がサーバから取得されて、指定画像ファイル１３２Ｓとして指定されるので、この場合には、ユーザの選択する運動の種類と、指定画像ファイル１３２Ｓの各画像で示される運動の種類とを確実に一致させることができる。従って、誤った運動種類を選択してしまうのを防止することができる。
【０１３６】
また、図５のステップＳ４２や図９等に示したように、プロット操作が行われた場合に、このプロット操作の対象位置に新たなプロット点Ｐが表示された場合での遷移方向の変化回数が検出され、この変化回数に対応する番号が当該新たなプロット点Ｐに含めて表示されるので、何れの方向に向かう何回目の移動内でのプロットであるかを見易く表示することができる。
【０１３７】
なお、上記の実施の形態における関数電卓１の各構成要素の細部構成及び細部動作に関しては、本発明の趣旨を逸脱しない範囲で適宜変更可能であることは勿論である。
【０１３８】
例えば、本発明に係る情報表示装置を関数電卓１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る情報表示プログラム１３０は、関数電卓１に対して着脱可能な外部情報記憶媒体４ａ等に記憶されることとしてもよい。
【０１３９】
また、方向変化回数に対応する番号が新たなプロット点Ｐに含めて表示されることとして説明したが、方向変化回数が大きいほど、新たなプロット点Ｐの色を濃い色にすることとしても良い。この場合にも、何れの方向に向かう何回目の移動内でのプロットであるかを見易く表示することができる。
【符号の説明】
【０１４０】
１          関数電卓
２                入力キー群
３                ディスプレイ
１１              ＣＰＵ
１２              ＲＡＭ
１３              記憶部
１４              キー入力部
１５              表示部
１３０            情報表示プログラム
【図１】
0005609628.tif 000002
【図２】
0005609628.tif 000003
【図３】
0005609628.tif 000004
【図４】
0005609628.tif 000005
【図５】
0005609628.tif 000006
【図６】
0005609628.tif 000007
【図７】
0005609628.tif 000008
【図８】
0005609628.tif 000009
【図９】
0005609628.tif 000010
【図１０】
0005609628.tif 000011
【図１１】
0005609628.tif 000012
【図１２】
0005609628.tif 000013